(57)【要約】【課題】定常波を発生し難くし、騒音のピークを発生し難くすることができる屋根構造を提供する。【解決手段】下方に開口し上方に突出する凸部２１と上方に開口し下方に凹む凹部２２とが軒に沿う方向に交互に形成された凹凸屋根材２を備え、この凹凸屋根材２が野地板３１上に設けられて凸部２１と野地板３１との間に通気空間２５が形成され、凸部２１の対向する両側片部２３に対して非平行であると共に、凸部２１の上片部２４と野地板３１の上面に対しても非平行である反射板１を備えることを特徴とする。【選択図】図１
2014095268.tif 000002
【特許請求の範囲】
【請求項１】
下方に開口し上方に突出する凸部と上方に開口し下方に凹む凹部とが軒に沿う方向に交互に形成された凹凸屋根材を備え、この凹凸屋根材が野地板上に設けられて前記凸部と前記野地板との間に通気空間が形成され、前記凸部の対向する両側片部に対して非平行であると共に、前記凸部の上片部と前記野地板の上面に対しても非平行である反射板を備えることを特徴とする屋根構造。
【請求項２】
前記反射板の表面には吸音材が取付けられていることを特徴とする請求項１記載の屋根構造。
【発明の詳細な説明】
【技術分野】
【０００１】
本発明は、屋根構造に関するものである。
【背景技術】
【０００２】
従来から、建造物の野地板上にスレート等の屋根材が設けられた屋根構造が知られている（例えば特許文献１参照）。しかし、この屋根構造では、野地板と屋根材との間の通気性が良くないという問題があった。そこで、凸部と凹部とを軒方向に交互に有する凹凸屋根材を用い、凸部と野地板との間に通気空間を形成することが考えられた。そして、凹凸屋根材の野地板への固定に、凹凸屋根材の凸部内に挿入されて通気空間の軒側端部を閉塞し面戸として機能する閉塞部が用いられるものが開発された（特願２０１２−２１５６３２）。
【先行技術文献】
【特許文献】
【０００３】
【特許文献１】特開２００２−１６７９２７号公報
【発明の概要】
【発明が解決しようとする課題】
【０００４】
凹凸屋根材２は、図４に示すように、下方に開口し上方に突出する凸部２１と、上方に開口し下方に凹む凹部２２を有している。凸部２１と凹部２２は軒方向に交互に複数形成されている。従来の凹凸屋根材２の凸部２１は、凹部２２の下片部の軒方向の両端から略垂直に突設し互いに平行な側片部２３と、側片部２３の上端を結合し野地板３１の上面と平行となる上片部２４と、で形成されている。この凸部２１の形状は、二つの定常波４１、４２を発生させ易い形状となっている。
【０００５】
一つ目の定常波４１について説明する。凸部２１の上片部２４と野地板３１の上面とが平行であるため、凸部２１の上片部２４の軒方向に沿って連続的に存在する図４に示す上下方向の矢印で示す一つ目の定常波４１（図中には一つだけ示す）が発生する。
【０００６】
二つ目の定常波４２について説明する。凸部２１の対向する側片部２３同士が互いに平行であるため、凸部２１の側片部２３の上下方向に沿って連続的に存在する図４に示す左右方向の矢印で示す二つ目の定常波４２（図中には一つだけ示す）が発生する。
【０００７】
定常波４１、４２はその性質として、特定の周波数帯の音を増幅させる。そのため、二つの定常波４１、４２が発生しているので、二つの特定の周波数帯の音が増幅される。そうすると、従来の凹凸屋根材２の雨音の騒音は、全周波数帯の中で二つの騒音の大きさのピークを持つことになる。ピークを持つことにより、ピークとなる周波数帯の音が、大きな騒音となって聞こえてしまっていた。
【０００８】
本発明は上記従来の問題点に鑑みて発明したものであって、その目的とするところは、騒音のピークが発生し難い屋根構造を提供することを課題とするものである。
【課題を解決するための手段】
【０００９】
上記課題を解決するために、本発明は、以下のような構成とする。
【００１０】
下方に開口し上方に突出する凸部と上方に開口し下方に凹む凹部とが軒に沿う方向に交互に形成された凹凸屋根材を備え、この凹凸屋根材が野地板上に設けられて前記凸部と前記野地板との間に通気空間が形成され、前記凸部の対向する両側片部に対して非平行であると共に、前記凸部の上片部と前記野地板の上面に対しても非平行である反射板を備えることを特徴とする。
【００１１】
また、前記反射板の表面には吸音材が取付けられていることが好ましい。
【発明の効果】
【００１２】
本発明の屋根構造は、定常波を発生し難くし、騒音のピークを発生し難くすることができる。
【図面の簡単な説明】
【００１３】
【図１】本発明の凹凸屋根材とその内部に取付けられる反射板と、その反射板に反射される音波を示した断面図である。
【図２】本発明の屋根構造を示した斜視図である。
【図３】（ａ）は本発明の反射板の形状の例であり、（ｂ）は本発明の反射板の形状の例であり、（ｃ）は本発明の反射板の形状の例である。
【図４】従来例の凹凸屋根材の内部で反射される音波を示した図である。
【発明を実施するための形態】
【００１４】
以下、本発明を添付図面に示す実施形態に基いて説明する。
【００１５】
本実施形態の屋根構造は図２に示すように片流れ屋根を有する建物３に適用したものである。以下では、傾斜した屋根面に沿って軒と棟を結ぶ矢印Ｄ１に示す方向を軒棟方向とし、軒に沿う矢印Ｄ２に示す方向を軒方向とする。
【００１６】
建物３の屋根下地は、垂木に野地板３１を設けることで形成されている。野地板３１は棟側から軒側に向かって一様な角度で傾斜している。
【００１７】
野地板３１には凹凸屋根材２が軒方向に複数並べて載置されている。
【００１８】
本実施形態の各凹凸屋根材２は鋼板製である。なお、各凹凸屋根材２は鋼板以外の金属板で形成してもよく、また、その材質は金属に限定されるものではない。凹凸屋根材２は、下方に開口し上方に突出する凸部２１と、上方に開口し下方に凹む凹部２２を有している。凸部２１と凹部２２は軒方向に交互に複数形成されている。各凸部２１の側片部２３は隣接する凹部２２の側片部２３を兼ねている。
【００１９】
凹凸屋根材２は野地板３１（図１参照）の上に載置され、凹凸屋根材２の凹部２２に釘を打ち込み野地板３１まで貫通させることにより、凹凸屋根材２を野地板３１に固定させる。そして、釘を打ち込んだ部分の水密性を保つためにコーキングを行う。
【００２０】
野地板３１とこの上に配置された各凹凸屋根材２の凸部２１に囲まれた通気空間２５が形成され、この通気空間２５を第一通気空間２６とする。第一通気空間２６は、凹凸屋根材２の軒棟方向における略全長に亘って形成されている。
【００２１】
図２に示されるように複数の凹凸屋根材２で構成される屋根面上に、機能パネルとしての太陽光発電パネル３２が設けられている。太陽光発電パネル３２は、シリコンを主材料とした半導体素子により太陽光発電エネルギーを電気エネルギーに変換して出力するものである。太陽光発電パネル３２は、様々なものが公知となっていて、これらを適宜利用可能である。
【００２２】
図２に示されるように太陽光発電パネル３２は複数の凸部２１の上面に跨って載置され、太陽光発電パネル３２はボルト等の取付け部材により屋根面上に固定されている。太陽光発電パネル３２と凹凸屋根材２の凹部２２で囲まれた第二通気空間２７が形成されている。各第二通気空間２７は、太陽光発電パネル３２の軒棟方向における全長に亘って形成されている。太陽光発電パネル３２は、周囲の雰囲気温度が高い場合や、直射日光が長時間照射された場合等に、発電素子が高温になって発電効率（変換効率）が低下する恐れがある。しかし、本実施形態では太陽光発電パネル３２を第一通気空間２６と第二通気空間２７を流れる外気により冷却することができるので、太陽光発電パネル３２の発電効率の低下を抑えることができる。
【００２３】
凹凸屋根材２は、凸部２１の側片部２３が凹部２２の下片部から凸部２１の対向する側片部２３同士が互いに平行になるように立設し、凸部２１の上片部２４は野地板３１に対して平行に設けられている。凹凸屋根材２の上片部２４と野地板３１の上面が互いに平行であるため、上片部２４と野地板３１との間の距離に応じた一つ目の定常波４１（図４参照）が発生し易くなっている。また、凹凸屋根材２の側片部２３が互いに平行であるため、両側片部２３間の距離に応じた二つ目の定常波４２（図４参照）が発生し易くなっている。これらの定常波４１、４２により、騒音レベルのピークが二箇所発生することになる。そして定常波４１、４２は、特定の周波数帯の音を増幅させる。そのため、騒音レベルがピークとなる周波数帯の音が増幅されるため、上記したように凹凸屋根材２から発生する騒音が大きな騒音であると感じてしまう。そこで、凸部２１の内部に反射板１を備えることとした。
【００２４】
反射板１は、本実施形態では図１に示すように、凹凸屋根材２の凸部２１の内部の対角線上に設けられている。しかし、反射板１は凸部２１の対向する両側片部２３に対して非平行であると共に、凸部２１の上片部２４と野地板３１の上面に対して非平行であればよく、その形状は限定されない。例えば図３（ａ）に示すように、反射板１が、凸部２１の上片部２４の端部から凸部２１の側片部２３の下端まで設けられ、側片部２３の下端から上方に行く程対向する側片部２３の上端に向けて傾斜し、その側片部２３の上端から側片部２３の下端まで設けられる形状でもよい。この形状では、両側片部２３と両側片部２３に当接する反射板１の部分とが接着又はネジ等で固定されることにより、反射板１は凸部２１内部に固定されている。また、図３（ｂ）に示すように、反射板１が、凸部２１の側片部２３の下端から上端まで設けられ、その側片部２３の上端から下方に行く程対向する側片部２３の下端に向けて傾斜する形状でもよい。この形状では、側片部２３と側片部２３に当接する反射板の部分とが接着又はネジ等で固定されることにより、反射板１は凸部２１内部に固定されている。そして、図３（ｃ）に示すように、反射板１は、凸部２１の側片部２３の下端から上方に行く程凸部２１の上片部２４の略中点に向けて傾斜し、その上片部２４の略中点から下方に行く程対向する側片部２３の下端に向けて傾斜する形状でもよい。
【００２５】
上片部２４と野地板３１の上面とは平行であったが、上片部２４から野地板３１上面との間に上片部２４と野地板３１上面と非平行となる反射板１が介在するため、定常波４１が発生し難くなる。また、両側片部２３も互いに平行であったが、両側片部２３の間に両側片部２３と非平行となる反射板１が介在するため、定常波４２が発生し難くなる。
【００２６】
反射板１の材質は、木材や金属などが考えられるが、特に限定されない。反射板１の表面にフェルト等の吸音材を貼り付けることにより、吸音材の表面の凹凸形状による音波の乱反射で、定常波４１、４２発生を抑制することができる。また、凸部２１の内部で発生する音を吸音材が吸収し、騒音を小さくすることができる。
【００２７】
以上のような構成の屋根構造とすることにより、凸部２１の両側片部２３の間に発生していた定常波４２と、凸部２１の上片部２４と野地板３１の上面の間に発生していた定常波４１と、が発生し難くなる。定常波４１、４２が発生し難くなると、騒音のピークが生じ難くなるため、大きな騒音を発生し難くすることができる。
【符号の説明】
【００２８】
１    反射板
２    凹凸屋根材
２１  凸部
２２  凹部
２３  側片部
２４  上片部
２５  通気空間
２６  第一通気空間
２７  第二通気空間
３    建物
３１  野地板
４１  定常波
４２  定常波
【図１】
2014095268.tif 000003
【図２】
2014095268.tif 000004
【図３】
2014095268.tif 000005
【図４】
2014095268.tif 000006